(57)【要約】【課題】小型化、低コスト化、高効率化を実現可能なＬＥＤ照明用調色制御回路を提供する。【解決手段】ＬＥＤ照明用調色制御回路１は、力率改善回路１６と、力率改善回路１６に接続され、電力を供給する定電流制御回路３２と、定電流制御回路３２に内蔵され、相対的に低電圧を出力する低電圧源２８と、低電圧源２８に接続され、定電流制御回路３２に制御信号を供給する出力電流値調整制御回路３０とを備える。【選択図】図３
2016046045.tif 000002
【特許請求の範囲】
【請求項１】
力率改善回路と、
前記力率改善回路に接続され、電力を供給する定電流制御回路と、
定電流制御回路に内蔵され、相対的に低電圧を出力する低電圧源と、
前記低電圧源に接続され、前記定電流制御回路に制御信号を供給する出力電流値調整制御回路と
を備えることを特徴とするＬＥＤ照明用調色制御回路。
【請求項２】
ＡＣ電源と、
前記ＡＣ電源に接続された入力フィルタと、
前記入力フィルタに接続されたダイオードブリッジと
を備え、前記力率改善回路は、前記ダイオードブリッジの出力に接続されたことを特徴とする請求項１に記載のＬＥＤ照明用調色制御回路。
【請求項３】
前記定電流制御回路は、ＬＥＤ照明用ドライバを備えることを特徴とする請求項１または２に記載のＬＥＤ照明用調色制御回路。
【請求項４】
前記出力電流値調整制御回路は、前記ＬＥＤ照明用ドライバの出力電流値を調整する調光・調色オンオフ制御回路を備えることを特徴とする請求項３に記載のＬＥＤ照明用調色制御回路。
【請求項５】
低電圧レギュレータを内蔵する力率改善回路と、
前記力率改善回路の出力に並列に接続される第１のＬＥＤドライバおよび第２のＬＥＤドライバと、
前記力率改善回路に接続され、前記第１のＬＥＤドライバおよび前記第２のＬＥＤドライバにそれぞれ第１の制御信号および第２の制御信号を供給する調光・調色オンオフ制御回路と
を備え、前記低電圧レギュレータの低電圧出力が前記調光・調色オンオフ制御回路ンに供給可能であることを特徴とするＬＥＤ照明用調色制御回路。
【請求項６】
前記低電圧レギュレータは、ＬＤＯであることを特徴とする請求項５に記載のＬＥＤ照明用調色制御回路。
【請求項７】
前記力率改善回路と前記第１のＬＥＤドライバおよび前記第２のＬＥＤドライバは、
第１の集積回路に内蔵されていることを特徴とする請求項５または６に記載のＬＥＤ照
明用調色制御回路。
【請求項８】
前記力率改善回路と前記第１のＬＥＤドライバは、第２の集積回路に内蔵されていることを特徴とする請求項５または６に記載のＬＥＤ照明用調色制御回路。
【請求項９】
前記調光・調色オンオフ制御回路は、マイコンを備えることを特徴とする請求項５〜８のいずれか１項に記載のＬＥＤ照明用調色制御回路。
【請求項１０】
力率改善回路と、
前記力率改善回路に接続される低電圧レギュレータと、
前記力率改善回路の出力に並列に接続される第１のＬＥＤドライバおよび第２のＬＥＤドライバと、
前記低電圧レギュレータに接続され、前記第１のＬＥＤドライバおよび前記第２のＬＥＤドライバにそれぞれ第１の制御信号および第２の制御信号を供給する調光・調色オンオフ制御回路と
を備え、前記低電圧レギュレータの低電圧出力が前記調光・調色オンオフ制御回路ンに供給可能であることを特徴とするＬＥＤ照明用調色制御回路。
【請求項１１】
前記力率改善回路と前記低電圧レギュレータと前記第１のＬＥＤドライバは、第３の集積回路に内蔵されることを特徴とする請求項１０に記載のＬＥＤ照明用調色制御回路。
【請求項１２】
前記力率改善回路と前記低電圧レギュレータは、第４の集積回路に内蔵されることを特徴とする請求項１０に記載のＬＥＤ照明用調色制御回路。
【請求項１３】
前記低電圧レギュレータと前記第１のＬＥＤドライバは、第５の集積回路に内蔵されることを特徴とする請求項１０に記載のＬＥＤ照明用調色制御回路。
【請求項１４】
前記低電圧レギュレータと前記第１のＬＥＤドライバと前記第２のＬＥＤドライバは、第６の集積回路に内蔵されることを特徴とする請求項１０に記載のＬＥＤ照明用調色制御回路。
【請求項１５】
前記低電圧レギュレータは、前記力率改善回路に内蔵されることを特徴とする請求項１０〜１４のいずれか１項に記載のＬＥＤ照明用調色制御回路。
【請求項１６】
前記低電圧レギュレータは、前記第１のＬＥＤドライバに内蔵されることを特徴とする請求項１０〜１４のいずれか１項に記載のＬＥＤ照明用調色制御回路。
【請求項１７】
前記調光・調色オンオフ制御回路は、マイコンを備えることを特徴とする請求項１０〜１６のいずれか１項に記載のＬＥＤ照明用調色制御回路。
【請求項１８】
ＡＣ電源と、
前記ＡＣ電源に接続された入力フィルタと、
前記入力フィルタに接続されたダイオードブリッジと、
を備え、前記力率改善回路は、前記ダイオードブリッジの出力に接続されたことを特徴とする請求項１０〜１７のいずれか１項に記載のＬＥＤ照明用調色制御回路。
【請求項１９】
前記ダイオードブリッジの出力と接地電位との間に配置され、前記力率改善回路によってオン／オフ制御可能なＰＦＣ用ＭＯＳＦＥＴを備えることを特徴とする請求項１８に記載のＬＥＤ照明用調色制御回路。
【請求項２０】
前記ダイオードブリッジの出力に並列に接続された第１のフライバックトランスおよび第２のフライバックトランスと、
前記第１のフライバックトランスの１次側インダクタンスと接地電位との間に直列接続された第１のスイッチ用ＭＯＳＦＥＴおよび第１電流センス抵抗と、
前記第２のフライバックトランスの１次側インダクタンスと接地電位との間に直列接続された第２のスイッチ用ＭＯＳＦＥＴおよび第２電流センス抵抗と
を備え、
前記第１のスイッチ用ＭＯＳＦＥＴおよび前記第２のスイッチ用ＭＯＳＦＥＴは、前記第１のＬＥＤドライバおよび前記第２のＬＥＤドライバによってオンオフ制御され、前記１次側インダクタンスに流れる電流を制御可能であることを特徴とする請求項１８または１９に記載のＬＥＤ照明用調色制御回路。
【請求項２１】
前記第１のフライバックトランスの２次側インダクタンスに接続された第１ＬＥＤと、
前記第２のフライバックトランスの２次側インダクタンスに接続された第２ＬＥＤと
を備えることを特徴とする請求項２０に記載のＬＥＤ照明用調色制御回路。
【発明の詳細な説明】
【技術分野】
【０００１】
本実施形態は、ＬＥＤ照明用調色制御回路に関する。
【背景技術】
【０００２】
白熱電球や蛍光灯のような従来の照明機器の代わる照明機器として、光源に発光ダイオード（ＬＥＤ:Light Emitting Diode）を用いたＬＥＤ電球のようなＬＥＤ照明装置が普及し始めている。
【０００３】
色温度の異なる複数のＬＥＤなどの光源を点灯して光出力を混光し、中間的な色温度の光出力を得ることを調色といい、光源の光出力を変化することを調光という。調色と調光の両方を行えるようにＬＥＤ点灯装置を構成することができる。
【先行技術文献】
【特許文献】
【０００４】
【特許文献１】国際公開第２０１２／０６３８１５号
【特許文献２】特開２０１２−１４６６３３号公報
【発明の概要】
【発明が解決しようとする課題】
【０００５】
小型化、低コスト化、高効率化を実現可能なＬＥＤ照明用調色制御回路を提供する。
【課題を解決するための手段】
【０００６】
実施の形態の一態様によれば、力率改善回路と、前記力率改善回路に接続され、電力を供給する定電流制御回路と、定電流制御回路に内蔵され、相対的に低電圧を出力する低電圧源と、前記低電圧源に接続され、前記定電流制御回路に制御信号を供給する出力電流値調整制御回路とを備えるＬＥＤ照明用調色制御回路が提供される。
【０００７】
実施の形態の他の態様によれば、低電圧レギュレータを内蔵する力率改善回路と、  前記力率改善回路の出力に並列に接続される第１のＬＥＤドライバおよび第２のＬＥＤドライバと、前記力率改善回路に接続され、前記第１のＬＥＤドライバおよび前記第２のＬＥＤドライバにそれぞれ第１の制御信号および第２の制御信号を供給する調光・調色オンオフ制御回路とを備え、前記低電圧レギュレータの低電圧出力が前記調光・調色オンオフ制御回路ンに供給可能であるＬＥＤ照明用調色制御回路が提供される。
【０００８】
実施の形態の他の態様によれば、力率改善回路と、前記力率改善回路に接続される低電圧レギュレータと、前記力率改善回路の出力に並列に接続される第１のＬＥＤドライバおよび第２のＬＥＤドライバと、前記低電圧レギュレータに接続され、前記第１のＬＥＤドライバおよび前記第２のＬＥＤドライバにそれぞれ第１の制御信号および第２の制御信号を供給する調光・調色オンオフ制御回路とを備え、前記低電圧レギュレータの低電圧出力が前記調光・調色オンオフ制御回路ンに供給可能であるＬＥＤ照明用調色制御回路が提供される。
【発明の効果】
【０００９】
小型化、低コスト化、高効率化を実現可能なＬＥＤ照明用調色制御回路を提供することができる。
【図面の簡単な説明】
【００１０】
【図１】比較例に係るＬＥＤ照明用調色制御回路の模式的回路ブロック構成図。
【図２】比較例に係るＬＥＤ照明用調色制御回路において、並列化された電流制御回路の模式的回路ブロック構成図。
【図３】第１の実施の形態に係るＬＥＤ照明用調色制御回路の基本的な回路ブロック構成図。
【図４】（ａ）比較例に係るＬＥＤ照明用調色制御回路の模式的ブロック構成図、（ｂ）第２の実施の形態に係るＬＥＤ照明用調色制御回路の模式的ブロック構成図。
【図５】第３の実施の形態に係るＬＥＤ照明用調色制御回路の模式的ブロック構成図。
【図６】第４の実施の形態に係るＬＥＤ照明用調色制御回路の模式的ブロック構成図。
【図７】第５の実施の形態に係るＬＥＤ照明用調色制御回路の模式的ブロック構成図。
【図８】第６の実施の形態に係るＬＥＤ照明用調色制御回路の模式的ブロック構成図。
【図９】比較例に係るＬＥＤ照明用調色制御回路の詳細な回路構成図。
【図１０】第７の実施の形態に係るＬＥＤ照明用調色制御回路の詳細な回路構成図。
【図１１】第７の実施の形態の変形例１に係るＬＥＤ照明用調色制御回路の詳細な回路構成図。
【図１２】第７の実施の形態の変形例２に係るＬＥＤ照明用調色制御回路の詳細な回路構成図。
【図１３】第７の実施の形態の変形例３に係るＬＥＤ照明用調色制御回路の詳細な回路構成図。
【図１４】第８の実施の形態に係るＬＥＤ照明用調色制御回路の詳細な回路構成図。
【図１５】第８の実施の形態の変形例１に係るＬＥＤ照明用調色制御回路の詳細な回路構成図。
【図１６】第８の実施の形態の変形例２に係るＬＥＤ照明用調色制御回路の詳細な回路構成図。
【図１７】第９の実施の形態に係るＬＥＤ照明用調色制御回路の詳細な回路構成図。
【図１８】第９の実施の形態の変形例１に係るＬＥＤ照明用調色制御回路の詳細な回路構成図。
【図１９】第９の実施の形態の変形例２に係るＬＥＤ照明用調色制御回路の詳細な回路構成図。
【発明を実施するための形態】
【００１１】
次に、図面を参照して、実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１２】
又、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１３】
(比較例)
比較例に係るＬＥＤ照明用調色制御回路１Ａの模式的回路ブロック構成は、図１に示すように表される。また、比較例に係るＬＥＤ照明用調色制御回路１Ａにおいて、複数のチャンネルＣＨ１・ＣＨ２・ＣＨ３・…・ＣＨｎに並列化された電流制御回路１８1Ａ・１８2Ａ・１８3Ａ・…・１８nＡの模式的回路ブロック構成は、図２に示すように表される。
【００１４】
比較例に係るＬＥＤ照明用調色制御回路１Ａは、図１に示すように、ＡＣ電源１０と、ＡＣ電源１０に接続された入力フィルタ１２と、入力フィルタ１２に接続されたダイオードブリッジ１４と、ダイオードブリッジ１４の出力に接続された力率改善（ＰＦＣ：Power Factor Correction）回路１６と、ＰＦＣ回路１６に接続され、電力を供給する電流制御回路１８1Ａ・１８2Ａ・１８3Ａ・…・１８nＡと、ＰＦＣ回路１６に接続され、相対的に低電圧を出力する低電圧源２４Ａと、低電圧源２４Ａに接続され、電流制御回路１８1Ａ・１８2Ａ・１８3Ａ・…・１８nＡに制御信号ＣＳ１・ＣＳ２・ＣＳ３・…・ＣＳｎを供給する調光・調色オンオフ制御回路２６Ａとを備える。
【００１５】
また、電流制御回路１８1Ａ・１８2Ａ・１８3Ａ・…・１８nＡ各部は、図２に示すように、ＬＥＤ照明用ドライバ２０1Ａ・２０2Ａ・２０3Ａ・…・２０nＡと、ＬＥＤ照明用ドライバ２０1Ａ・２０2Ａ・２０3Ａ・…・２０nＡに接続されるＬＥＤを備える。ＬＥＤ照明用ドライバ２０1Ａ・２０2Ａ・２０3Ａ・…・２０nＡには、低電圧源２２1Ａ・２２2Ａ・２２3Ａ・…・２２nＡが内蔵されている。
【００１６】
比較例に係るＬＥＤ照明用調色制御回路１Ａは、図１に示すように、ＡＣ電源１０より、定電流値を調整して出力するシステムであって、定電流出力用の電流制御回路１８1Ａ・１８2Ａ・１８3Ａ・…・１８nＡと、出力電流値を調整する調光・調色オンオフ制御回路２６Ａ用の低電圧源２４Ａが必要である。ここで、電流制御回路１８1Ａ・１８2Ａ・１８3Ａ・…・１８nＡと低電圧源２４Ａは、別々の集積回路（ＩＣ：Integrated Circuit）で構成されており、それぞれ電流制御と電圧出力を行っている。
【００１７】
定電流出力用の電流制御回路１８1Ａ・１８2Ａ・１８3Ａ・…・１８nＡ用のＩＣの多くは、内部に低電圧源２２1Ａ・２２2Ａ・２２3Ａ・…・２２nＡを備えているが、ピン（Ｐｉｎ）数の制限や外付け回路部品の削減のため、内部の低電圧源２２1Ａ・２２2Ａ・２２3Ａ・…・２２nＡを外部回路用の電源として使用することができない。
【００１８】
[第１の実施の形態]
第１の実施の形態に係るＬＥＤ照明用調色制御回路１の基本的な回路ブロック構成は、図３に示すように表される。
【００１９】
第１の実施の形態に係るＬＥＤ照明用調色制御回路１は、図３に示すように、ＡＣ電源１０と、ＡＣ電源１０に接続された入力フィルタ１２と、入力フィルタ１２に接続されたダイオードブリッジ１４と、ダイオードブリッジ１４の出力に接続されたＰＦＣ回路１６と、ＰＦＣ回路１６に接続され、電力を供給する定電流制御回路３２と、定電流制御回路３２に内蔵され、相対的に低電圧を出力する低電圧源２８と、低電圧源２８に接続され、定電流制御回路３２に制御信号ＣＳを供給する出力電流値調整制御回路３０とを備える。
【００２０】
第１の実施の形態に係るＬＥＤ照明用調色制御回路１は、図３に示すように、ＡＣ電源１０から定電流（定電流源Ｊで表す）出力する定電流制御回路３２と、その出力電流値を調整するための出力電流値調整制御回路３０が必要なシステムであって、この出力電流値調整制御回路３０用の低電圧源２８を、定電流出力用の定電流制御回路３２が低電圧出力も兼ねるように構成している。ここで、低電圧電源２８は、模式的にキャパシタＣで表され、このキャパシタＣに対する充電電流は、定電流制御回路３２内の電圧源Ｅから供給される。
【００２１】
第１の実施の形態に係るＬＥＤ照明用調色制御回路１において、定電流制御回路３２は、図１〜図２に示された比較例と同様に、ＬＥＤ照明用ドライバとＬＥＤを備えていてもよい。
【００２２】
また、出力電流値調整制御回路３０は、図１〜図２に示された比較例と同様に、出力電流値を調整する調光・調色オンオフ制御回路６を備えていてもよい。
【００２３】
第１の実施の形態に係るＬＥＤ照明用調色制御回路１によれば、小型化、低コスト化、高効率化を実現可能である。
【００２４】
第１の実施の形態に係るＬＥＤ照明用調色制御回路１によれば、定電流出力用の定電流制御回路３２が低電圧出力も兼ねるように構成したことによって、出力電流値調整制御回路３０用の別の電源回路（例えば、比較例図１の低電圧源２４Ａ）が不要となり、小型化可能である。
【００２５】
第１の実施の形態に係るＬＥＤ照明用調色制御回路１においては、定電流出力用の定電流制御回路３２が低電圧出力も兼ねるように構成しているが、このような低電圧源２８の供給を他の集積回路部分に持たせることも可能である。例えば、後述するように、ＰＦＣ回路１６にこの機能を保持させてもよい。
【００２６】
第１の実施の形態によれば、小型化、低コスト化、高効率化を実現可能なＬＥＤ照明用調色制御回路を提供することができる。
【００２７】
[第２の実施の形態]
（比較例）
比較例に係るＬＥＤ照明用調色制御回路１Ａの模式的ブロック構成は、図４（ａ）に示すように表される。
【００２８】
比較例に係るＬＥＤ照明用調色制御回路１Ａは、図４（ａ）に示すように、ＰＦＣ回路１６Ａと、ＰＦＣ回路１６Ａに接続されたＤＣ／ＤＣコンバータ１５と、ＤＣ／ＤＣコンバータ１５の出力に接続されるＬＥＤドライバ２０1Ａ・２０2Ａと、ＤＣ／ＤＣコンバータ１５の出力に接続され、相対的に低電圧を出力するロードロップアウト（ＬＤＯ：Low Drop Out)２３Ａと、ＬＤＯ２３Ａに接続され、ＬＥＤドライバ２０1Ａ・２０2Ａに制御信号ＣＳ１・ＣＳ２を供給するマイコン２７Ａとを備える。
【００２９】
比較例に係るＬＥＤ照明用調色制御回路１Ａは、図４（ａ）に示すように、マイコン２７Ａを使用し、２色以上のＬＥＤ照明を駆動制御するシステムである。比較例に係るＬＥＤ照明用調色制御回路１Ａは、図４（ａ）に示すように、ＰＦＣ回路１６Ａの出力をＤＣ／ＤＣコンバータ１５において変換後、ＬＤＯ２３Ａによって、マイコン２７Ａの低電圧を供給している。
【００３０】
第２の実施の形態に係るＬＥＤ照明用調色制御回路１の模式的ブロック構成は、図４（ｂ）に示すように表される。
【００３１】
第２の実施の形態に係るＬＥＤ照明用調色制御回路１は、図４（ｂ）に示すように、ＰＦＣ回路１７と、ＰＦＣ回路１７の出力に並列に接続されるＬＥＤドライバ２０1・２０2と、ＰＦＣ回路１７に接続され、ＬＥＤドライバ２０1・２０2に制御信号ＣＳ１・ＣＳ２を供給するマイコン２７とを備える。ここで、ＰＦＣ回路１７には、ＬＤＯ２３が内蔵されており、ＰＦＣ回路１７の低電圧出力端子ＬＴからＬＤＯ２３の低電圧出力が取り出し可能である。
【００３２】
第２の実施の形態に係るＬＥＤ照明用調色制御回路１によれば、比較例におけるＤＣ／ＤＣコンバータ１５を不要とし、ＰＦＣ回路１７の出力からダイレクトにＬＥＤドライバ２０1・２０2に電源を供給することができる。このため、電源回路用のＡＣ／ＤＣ変換回路の消費電力を削減可能である。
【００３３】
また、第２の実施の形態に係るＬＥＤ照明用調色制御回路１によれば、マイコン２７用の低電圧源をＰＦＣ回路１７に内蔵されるＬＤＯ２３によって供給されるため、別のＬＤＯ２３Ａが不要となり、小型化可能である。
【００３４】
第２の実施の形態によれば、小型化、低コスト化、高効率化を実現可能なＬＥＤ照明用調色制御回路を提供することができる。
【００３５】
[第３の実施の形態]
第３の実施の形態に係るＬＥＤ照明用調色制御回路１の模式的ブロック構成は、図５に示すように表される。
【００３６】
第３の実施の形態に係るＬＥＤ照明用調色制御回路１は、図５に示すように、ＰＦＣ回路１７と、ＰＦＣ回路１７の出力に並列に接続されるＬＥＤドライバ２０1・２０2と、ＰＦＣ回路１７に接続され、ＬＥＤドライバ２０1・２０2に制御信号ＣＳ１・ＣＳ２を供給するマイコン２７とを備える。ここで、ＰＦＣ回路１７には、低電圧レギュレータ（ＬＶＲＥＧ）２３Ｒが内蔵されている。また、ＰＦＣ回路１７とＬＥＤドライバ２０1・２０2は、集積回路９０に内蔵されている。集積回路９０は、外部のマイコン２７の電源を供給できるように低電圧出力端子ＬＴを備える。ＬＶＲＥＧ２３Ｒは、低電圧出力端子ＬＴを介して、マイコン２７に対して低電圧を供給可能である。
【００３７】
第３の実施の形態に係るＬＥＤ照明用調色制御回路１によれば、ＤＣ／ＤＣコンバータを不要とし、ＰＦＣ回路１７の出力からダイレクトにＬＥＤドライバ２０1・２０2に電源を供給することができるため、電源回路用のＡＣ／ＤＣ変換回路の消費電力を削減可能である。
【００３８】
また、第３の実施の形態に係るＬＥＤ照明用調色制御回路１によれば、マイコン２７用の低電圧源をＰＦＣ回路１７に内蔵されるＬＶＲＥＧ２３Ｒによって供給されるため、別の低電圧源が不要となり、小型化可能である。
【００３９】
第３の実施の形態によれば、小型化、低コスト化、高効率化を実現可能なＬＥＤ照明用調色制御回路を提供することができる。
【００４０】
[第４の実施の形態]
第４の実施の形態に係るＬＥＤ照明用調色制御回路１の模式的ブロック構成は、図６に示すように表される。
【００４１】
第４の実施の形態に係るＬＥＤ照明用調色制御回路１は、図６に示すように、ＰＦＣ回路１７と、ＰＦＣ回路１７の出力に並列に接続されるＬＥＤドライバ２０1・２０2と、ＰＦＣ回路１７に接続され、ＬＥＤドライバ２０1・２０2に制御信号ＣＳ１・ＣＳ２を供給するマイコン２７とを備える。ここで、ＰＦＣ回路１７には、ＬＶＲＥＧ２３Ｒが内蔵されており、ＰＦＣ回路１７の低電圧出力端子ＬＴからＬＶＲＥＧ２３Ｒの低電圧出力が取り出し可能である。
【００４２】
第４の実施の形態に係るＬＥＤ照明用調色制御回路１によれば、ＤＣ／ＤＣコンバータを不要とし、ＰＦＣ回路１７の出力からダイレクトにＬＥＤドライバ２０1・２０2に電源を供給することができるため、電源回路用のＡＣ／ＤＣ変換回路の消費電力を削減可能である。
【００４３】
また、第４の実施の形態に係るＬＥＤ照明用調色制御回路１によれば、マイコン２７用の低電圧源をＰＦＣ回路１７に内蔵されるＬＶＲＥＧ２３Ｒによって供給されるため、別の低電圧源が不要となり、小型化可能である。
【００４４】
第４の実施の形態によれば、小型化、低コスト化、高効率化を実現可能なＬＥＤ照明用調色制御回路を提供することができる。
【００４５】
[第５の実施の形態]
第５の実施の形態に係るＬＥＤ照明用調色制御回路の模式的ブロック構成は、図７に示すように表される。
【００４６】
第５の実施の形態に係るＬＥＤ照明用調色制御回路１は、図７に示すように、ＰＦＣ回路１７と、ＰＦＣ回路１７の出力に並列に接続される複数のＬＥＤドライバ２０1・２０2・２０3・…・２０nと、ＰＦＣ回路１７に接続され、ＬＥＤドライバ２０1・２０2・２０3・…・２０nに制御信号ＣＳ１・ＣＳ２・ＣＳ３・…・ＣＳｎを供給するマイコン２７とを備える。ここで、ＰＦＣ回路１７には、ＬＶＲＥＧ２３Ｒが内蔵されている。また、ＰＦＣ回路１７とＬＥＤドライバ２０1は、集積回路９２に内蔵されている。集積回路９２の低電圧出力端子ＬＴからＬＶＲＥＧ２３Ｒの低電圧出力が取り出し可能である。
【００４７】
第５の実施の形態に係るＬＥＤ照明用調色制御回路１によれば、ＤＣ／ＤＣコンバータを不要とし、ＰＦＣ回路１７の出力からダイレクトに複数のＬＥＤドライバ２０1・２０2・２０3・…・２０nに電源を供給することができるため、消費電力を削減可能である。
【００４８】
また、第５の実施の形態に係るＬＥＤ照明用調色制御回路１によれば、マイコン２７用の低電圧源をＰＦＣ回路１７に内蔵されるＬＶＲＥＧ２３Ｒによって供給されるため、別の低電圧源が不要となり、小型化可能である。
【００４９】
第５の実施の形態によれば、小型化、低コスト化、高効率化を実現可能なＬＥＤ照明用調色制御回路を提供することができる。
【００５０】
[第６の実施の形態]
第６の実施の形態に係るＬＥＤ照明用調色制御回路１の模式的ブロック構成は、図８に示すように表される。
【００５１】
第６の実施の形態に係るＬＥＤ照明用調色制御回路１は、図８に示すように、ＰＦＣ回路１７と、ＰＦＣ回路１７の出力に並列に接続される複数のＬＥＤドライバ２０1・２０2・２０3・…・２０nと、ＰＦＣ回路１７に接続され、相対的に低電圧を供給されるとともに、ＬＥＤドライバ２０1・２０2・２０3・…・２０nに制御信号ＣＳ１・ＣＳ２・ＣＳ３・…・ＣＳｎを供給するマイコン２７とを備える。ここで、ＰＦＣ回路１７には、ＬＶＲＥＧ２３Ｒが内蔵されており、ＰＦＣ回路１７の低電圧出力端子ＬＴからＬＶＲＥＧ２３Ｒの低電圧出力が取り出し可能である。
【００５２】
第６の実施の形態に係るＬＥＤ照明用調色制御回路１によれば、ＰＦＣ回路１７の出力からダイレクトに複数のＬＥＤドライバ２０1・２０2・２０3・…・２０nに電源を供給することができるため、消費電力を削減可能である。
【００５３】
また、第６の実施の形態に係るＬＥＤ照明用調色制御回路１によれば、マイコン２７用の低電圧源をＰＦＣ回路１７に内蔵されるＬＶＲＥＧ２３Ｒによって供給されるため、別の低電圧源が不要となり、小型化可能である。
【００５４】
第６の実施の形態によれば、小型化、低コスト化、高効率化を実現可能なＬＥＤ照明用調色制御回路を提供することができる。
【００５５】
[第７の実施の形態]
（比較例）
比較例に係るＬＥＤ照明用調色制御回路１Ａの詳細な回路構成は、図９に示すように表される。
【００５６】
比較例に係るＬＥＤ照明用調色制御回路１Ａは、図９に示すように、２色調光用のＬＥＤドライバ２０1Ａ・２０2Ａと、フライバックトランス１５1・１５2と、ＰＦＣ回路１６Ａと、ＬＤＯ２３Ａと、調光・調色オンオフ制御回路２６Ａとを備える。フライバックトランス１５1・１５2の１次側にはインダクタンスＬ1・Ｌ3が配置され、２次側にはインダクタンスＬ2が配置されている。
【００５７】
図９において、ＡＣ電源１０には、入力フィルタ１２・ダイオードブリッジ（ＤＢ）１４・平滑化回路（Ｃ0・Ｌ0）・逆流防止ダイオードＤ0・電界コンデンサＣEを介して、フライバックトランス１５1・１５2の１次側インダクタンスＬ1・Ｌ1が接続されている。
【００５８】
比較例に係るＬＥＤ照明用調色制御回路１Ａは、図９に示すように、ＡＣライン側に接続された１次側インダクタンスＬ1・Ｌ1と、接地電位に接続された電流センス抵抗ＲS1・ＲS2と、１次側インダクタンスＬ1・Ｌ1と電流センス抵抗ＲS1・ＲS2との間に直列接続されたスイッチ用ＭＯＳＦＥＴＱS1・ＱS2と、１次側インダクタンスＬ1・Ｌ1・ＭＯＳＦＥＴＱS1・ＱS2・電流センス抵抗ＲS1・ＲS2に結合され、１次側インダクタンスＬ1・Ｌ1に流れる電流を制御可能なＬＥＤドライバ２０1Ａ・２０2Ａとを備える。
【００５９】
また、フライバックトランス１５1・１５2の２次側インダクタンスＬ2には、ダイオードＤL1・ＤL2およびキャパシタＣL1・ＣL2からなるダイオード整流回路（ＤL1・ＣL1）
・(ＤL2・ＣL2）が接続され、キャパシタＣL1・ＣL2出力からは、ＬＥＤ1・ＬＥＤ2を駆動する出力電圧が得られる。
【００６０】
また、比較例に係るＬＥＤ照明用調色制御回路１Ａは、図９に示すように、１次側の平滑化回路（Ｃ0・Ｌ0）・逆流防止ダイオードＤ0間には、接地電位との間に、ＰＦＣ回路１６Ａによってオン／オフ制御可能なＰＦＣ用ＭＯＳＦＥＴＱPおよび直列抵抗Ｒpが接続されており、結果として、ＰＦＣおよび調光・調色オンオフ制御可能である。
【００６１】
また、フライバックトランス１５1・１５2の１次側補助巻線インダクタンスＬ3には、ダイオードＤ31・Ｄ32およびキャパシタＣ31・Ｃ32からなるダイオード整流回路（Ｄ31・Ｃ31）・(Ｄ32・Ｃ32）が接続され、キャパシタＣ31・Ｃ32出力からは、ＰＦＣ回路１６Ａ・ＬＤＯ２３Ａ・ＬＥＤドライバ２０1Ａ・ＬＥＤドライバ２０2Ａを駆動する出力電圧が得られる。
【００６２】
比較例に係るＬＥＤ照明用調色制御回路１Ａは、図９に示すように、ＡＣ電源１０と、ＡＣ電源１０に接続された入力フィルタ１２と、入力フィルタ１２に接続されたダイオードブリッジ１４と、ダイオードブリッジ１４の出力に接続された平滑化回路（Ｌ0・Ｃ0）・逆流防止ダイオードＤ0・電界コンデンサＣEと、ＰＦＣ回路１６と、電力を供給するＬＥＤドライバ２０1Ａ・２０2Ａと、低電圧を出力するＬＤＯ２３Ａと、ＬＤＯ２３Ａに接続され、ＬＥＤドライバ２０1Ａ・２０2Ａに制御信号ＣＳ１・ＣＳ２を供給する調光・調色オンオフ制御回路２６Ａとを備える。
【００６３】
比較例に係るＬＥＤ照明用調色制御回路１Ａは、シーリングライト用２色調光アプリケーションにおいて、ＰＦＣ回路１６Ａ、ＬＥＤドライバ２０1Ａ・２０2Ａ、ＬＤＯ２３Ａ、調光・調色オンオフ制御回路２６Ａを備える。ここで、ＰＦＣ回路１６Ａは、ＬＶ回路用内蔵電源２２Ｐを備え、ＬＥＤドライバ２０1Ａ・２０2Ａは、それぞれのＬＶ回路用内蔵電源２２1Ａ・２２2Ａを備える。すなわち、ＰＦＣ回路１６Ａ・ＬＥＤドライバ２０1Ａ・２０2Ａは、それぞれのＩＣに内蔵され、それぞれのＩＣ内部のＬＶ回路用内蔵電源２２Ｐ・２２1Ａ・２２2Ａを備えている。しかしながら、外部の調光・調色オンオフ制御回路２６Ａを駆動するための出力を有していないため、外部にＬＤＯ２３Ａを必要としている。
【００６４】
比較例に係るＬＥＤ照明用調色制御回路１Ａは、図９に示すように、ＡＣ電源１０より、定電流値を調整して出力するシステムであって、ＰＦＣ制御用のＰＦＣ回路１６Ａと、定電流出力用のＬＥＤドライバ２０1Ａ・２０2Ａと、出力電流値を調整する調光・調色オンオフ制御回路２６Ａ用のＬＤＯ２３Ａが必要である。ここで、ＰＦＣ回路１６Ａ・ＬＥＤドライバ２０1Ａ・２０2Ａ・ＬＤＯ２３Ａは、別々の集積回路（ＩＣ：Integrated Circuit）で構成されており、それぞれ電流制御と電圧出力を行っている。
【００６５】
定電流出力用のＬＥＤドライバ２０1Ａ・２０2Ａ用のＩＣの多くは、内部にＬＶ回路用内蔵電源２２1Ａ・２２2Ａを備えているが、ピン（Ｐｉｎ）数の制限や外付け回路部品の削減のため、内部のＬＶ回路用内蔵電源２２1Ａ・２２2Ａを外部回路用の電源として使用することができない。
【００６６】
第７の実施の形態に係るＬＥＤ照明用調色制御回路１の詳細な回路構成は、図１０に示すように表される。
【００６７】
第７の実施の形態に係るＬＥＤ照明用調色制御回路１は、シーリングライト用２色調光アプリケーションにおいて、ＰＦＣ回路１６、ＬＥＤドライバ２０1・２０2、ＬＶＲＥＧ２３Ｒ、調光・調色オンオフ制御回路２６を備える。ここで、ＰＦＣ回路１６、ＬＶＲＥＧ２３Ｒ、ＬＥＤドライバ２０1Ａは、集積回路１００に内蔵されている。集積回路１００は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。また、ＬＶＲＥＧ２３Ｒは、ＰＦＣ回路１６若しくはＬＥＤドライバ２０1に内蔵されていても良い。その他の構成は、図９に示された比較例と同様である。
【００６８】
第７の実施の形態に係るＬＥＤ照明用調色制御回路１によれば、調光・調色オンオフ制御回路２６用の低電圧源を集積回路１００に内蔵されるＬＶＲＥＧ２３Ｒによって供給されるため、別の低電圧源が不要となり、小型化可能である。
【００６９】
第７の実施の形態によれば、小型化、低コスト化、高効率化を実現可能なＬＥＤ照明用調色制御回路を提供することができる。
【００７０】
（変形例１）
第７の実施の形態の変形例１に係るＬＥＤ照明用調色制御回路１の詳細な回路構成は、図１１に示すように表される。
【００７１】
第７の実施の形態の変形例１に係るＬＥＤ照明用調色制御回路１は、シーリングライト用２色調光アプリケーションにおいて、ＰＦＣ回路１６、ＬＥＤドライバ２０1・２０2、ＬＶＲＥＧ２３Ｒ、調光・調色オンオフ制御回路２６を備える。ここで、ＰＦＣ回路１６とＬＶＲＥＧ２３Ｒは、集積回路１０２に内蔵されている。集積回路１０２は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。また、ＬＶＲＥＧ２３Ｒは、ＰＦＣ回路１６に内蔵されていても良い。その他の構成は、図１０に示された第７の実施の形態と同様である。
【００７２】
第７の実施の形態の変形例１に係るＬＥＤ照明用調色制御回路１によれば、調光・調色オンオフ制御回路２６用の低電圧源を集積回路１０２に内蔵されるＬＶＲＥＧ２３Ｒによって供給されるため、別の低電圧源が不要となり、小型化可能である。
【００７３】
第７の実施の形態の変形例１によれば、小型化、低コスト化、高効率化を実現可能なＬＥＤ照明用調色制御回路を提供することができる。
【００７４】
（変形例２）
第７の実施の形態の変形例２に係るＬＥＤ照明用調色制御回路１の詳細な回路構成は、図１２に示すように表される。
【００７５】
第７の実施の形態の変形例２に係るＬＥＤ照明用調色制御回路１は、シーリングライト用２色調光アプリケーションにおいて、ＰＦＣ回路１６、ＬＥＤドライバ２０1・２０2、ＬＶＲＥＧ２３Ｒ、調光・調色オンオフ制御回路２６を備える。ここで、ＬＥＤドライバ２０1とＬＶＲＥＧ２３Ｒは、集積回路１０４に内蔵されている。集積回路１０４は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。また、ＬＶＲＥＧ２３Ｒは、ＬＥＤドライバ２０1に内蔵されていても良い。その他の構成は、図１０に示された第７の実施の形態と同様である。
【００７６】
第７の実施の形態の変形例２に係るＬＥＤ照明用調色制御回路１によれば、調光・調色オンオフ制御回路２６用の低電圧源を集積回路１０４に内蔵されるＬＶＲＥＧ２３Ｒによって供給されるため、別の低電圧源が不要となり、小型化可能である。
【００７７】
第７の実施の形態の変形例２によれば、小型化、低コスト化、高効率化を実現可能なＬＥＤ照明用調色制御回路を提供することができる。
【００７８】
（変形例３）
第７の実施の形態の変形例３に係るＬＥＤ照明用調色制御回路の詳細な回路構成は、図１３に示すように表される。
【００７９】
第７の実施の形態の変形例３に係るＬＥＤ照明用調色制御回路１は、シーリングライト用２色調光アプリケーションにおいて、ＰＦＣ回路１６、ＬＥＤドライバ２０1・２０2、ＬＶＲＥＧ２３Ｒ、調光・調色オンオフ制御回路２６を備える。ここで、ＬＥＤドライバ２０1・２０2とＬＶＲＥＧ２３Ｒは、集積回路１０６に内蔵されている。集積回路１０６は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。また、ＬＶＲＥＧ２３Ｒは、ＬＥＤドライバ２０1若しくはＬＥＤドライバ２０2に内蔵されていても良い。その他の構成は、図１０に示された第７の実施の形態と同様である。
【００８０】
第７の実施の形態の変形例３に係るＬＥＤ照明用調色制御回路１によれば、調光・調色オンオフ制御回路２６用の低電圧源を集積回路１０６に内蔵されるＬＶＲＥＧ２３Ｒによって供給されるため、別の低電圧源が不要となり、小型化可能である。
【００８１】
第７の実施の形態の変形例３によれば、小型化、低コスト化、高効率化を実現可能なＬＥＤ照明用調色制御回路を提供することができる。
【００８２】
[第８の実施の形態]
第８の実施の形態に係るＬＥＤ照明用調色制御回路１の詳細な回路構成は、図１４に示すように表される。
【００８３】
第８の実施の形態に係るＬＥＤ照明用調色制御回路１は、シーリングライト用２色調光アプリケーションにおいて、ＰＦＣ回路１７と、ＬＥＤドライバ２０1・２０2と、調光・調色オンオフ制御回路２６とを備える。ここで、ＰＦＣ回路１７には、ＬＶＲＥＧ２３Ｒが内蔵されている。ＰＦＣ回路１７は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【００８４】
第８の実施の形態に係るＬＥＤ照明用調色制御回路１によれば、調光・調色オンオフ制御回路２６用の低電圧源をＰＦＣ回路１７に内蔵されるＬＶＲＥＧ２３Ｒによって供給されるため、別の低電圧源が不要となり、小型化可能である。
【００８５】
第８の実施の形態によれば、小型化、低コスト化、高効率化を実現可能なＬＥＤ照明用調色制御回路を提供することができる。
【００８６】
（変形例１）
第８の実施の形態の変形例１に係るＬＥＤ照明用調色制御回路１の詳細な回路構成は、図１５に示すように表される。
【００８７】
第８の実施の形態の変形例１に係るＬＥＤ照明用調色制御回路１は、シーリングライト用２色調光アプリケーションにおいて、ＰＦＣ回路１７と、ＬＥＤドライバ２０1・２０2と、調光・調色オンオフ制御回路２６とを備える。ここで、ＰＦＣ回路１７には、ＬＶＲＥＧ２３Ｒが内蔵されている。また、ＬＥＤドライバ２０1とＰＦＣ回路１７は、集積回路１０８に内蔵されている。集積回路１０８は、外部の調光・調色オンオフ制御回路２６の電源を供給できるように低電圧出力端子ＬＴを備える。ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【００８８】
第８の実施の形態に係るＬＥＤ照明用調色制御回路１によれば、調光・調色オンオフ制御回路２６用の低電圧源をＰＦＣ回路１７に内蔵されるＬＶＲＥＧ２３Ｒによって供給されるため、別の低電圧源が不要となり、小型化可能である。
【００８９】
第８の実施の形態の変形例１によれば、小型化、低コスト化、高効率化を実現可能なＬＥＤ照明用調色制御回路を提供することができる。
【００９０】
（変形例２）
第８の実施の形態の変形例２に係るＬＥＤ照明用調色制御回路１の詳細な回路構成は、図１６に示すように表される。
【００９１】
第８の実施の形態の変形例２に係るＬＥＤ照明用調色制御回路１は、シーリングライト用２色調光アプリケーションにおいて、ＰＦＣ回路１７と、ＬＥＤドライバ２０1・２０2と、調光・調色オンオフ制御回路２６とを備える。ここで、ＰＦＣ回路１７には、ＬＶＲＥＧ２３Ｒが内蔵されている。また、ＬＥＤドライバ２０1・２０2とＰＦＣ回路１７は、集積回路１１０に内蔵されている。集積回路１１０は、外部の調光・調色オンオフ制御回路２６の電源を供給できるように低電圧出力端子ＬＴを備える。ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【００９２】
第８の実施の形態の変形例２に係るＬＥＤ照明用調色制御回路１によれば、調光・調色オンオフ制御回路２６用の低電圧源をＰＦＣ回路１７に内蔵されるＬＶＲＥＧ２３Ｒによって供給されるため、別の低電圧源が不要となり、小型化可能である。
【００９３】
第８の実施の形態の変形例２によれば、小型化、低コスト化、高効率化を実現可能なＬＥＤ照明用調色制御回路を提供することができる。
【００９４】
[第９の実施の形態]
第９の実施の形態に係るＬＥＤ照明用調色制御回路１の詳細な回路構成は、図１７に示すように表される。
【００９５】
第９の実施の形態に係るＬＥＤ照明用調色制御回路１は、シーリングライト用２色調光アプリケーションにおいて、ＰＦＣ回路１６と、ＬＥＤドライバ２０1・２０2と、調光・調色オンオフ制御回路２６とを備える。ここで、ＬＥＤドライバ２０1には、ＬＶＲＥＧ２３Ｒが内蔵されている。ＬＥＤドライバ２０1は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【００９６】
第９の実施の形態に係るＬＥＤ照明用調色制御回路１によれば、調光・調色オンオフ制御回路２６用の低電圧源をＬＥＤドライバ２０1に内蔵されるＬＶＲＥＧ２３Ｒによって供給されるため、別の低電圧源が不要となり、小型化可能である。
【００９７】
第９の実施の形態によれば、小型化、低コスト化、高効率化を実現可能なＬＥＤ照明用調色制御回路を提供することができる。
【００９８】
（変形例１）
第９の実施の形態の変形例１に係るＬＥＤ照明用調色制御回路１の詳細な回路構成は、図１８に示すように表される。
【００９９】
第９の実施の形態の変形例１に係るＬＥＤ照明用調色制御回路１は、シーリングライト用２色調光アプリケーションにおいて、ＰＦＣ回路１６と、ＬＥＤドライバ２０1・２０2と、調光・調色オンオフ制御回路２６とを備える。ここで、ＬＥＤドライバ２０1には、ＬＶＲＥＧ２３Ｒが内蔵されている。また、ＬＥＤドライバ２０1とＰＦＣ回路１６は、集積回路１１２に内蔵されている。集積回路１１２は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【０１００】
第９の実施の形態の変形例１に係るＬＥＤ照明用調色制御回路１によれば、調光・調色オンオフ制御回路２６用の低電圧源をＬＥＤドライバ２０1に内蔵されるＬＶＲＥＧ２３Ｒによって供給されるため、別の低電圧源が不要となり、小型化可能である。
【０１０１】
第９の実施の形態の変形例１によれば、小型化、低コスト化、高効率化を実現可能なＬＥＤ照明用調色制御回路を提供することができる。
【０１０２】
（変形例２）
第９の実施の形態の変形例２に係るＬＥＤ照明用調色制御回路１の詳細な回路構成は、図１９に示すように表される。
【０１０３】
第９の実施の形態の変形例２に係るＬＥＤ照明用調色制御回路１は、シーリングライト用２色調光アプリケーションにおいて、ＰＦＣ回路１６と、ＬＥＤドライバ２０1・２０2と、調光・調色オンオフ制御回路２６とを備える。ここで、ＬＥＤドライバ２０1には、ＬＶＲＥＧ２３Ｒが内蔵されている。また、ＬＥＤドライバ２０1・２０2とＰＦＣ回路１６は、集積回路１１４に内蔵されている。集積回路１１４は、外部の調光・調色オンオフ制御回路２６の電源を供給できるように低電圧出力端子ＬＴを備える。ここで、ＬＶＲＥＧ２３Ｒは、低電圧出力端子ＬＴを介して、調光・調色オンオフ制御回路２６に対して低電圧を供給可能である。ＬＥＤドライバ２０1・２０2に制御信号ＣＳ１・ＣＳ２を供給する調光・調色オンオフ制御回路２６は、マイコンによって構成されていても良い。その他の構成は、図１０に示された第７の実施の形態と同様である。
【０１０４】
第９の実施の形態の変形例２に係るＬＥＤ照明用調色制御回路１によれば、調光・調色オンオフ制御回路２６用の低電圧源をＬＥＤドライバ２０1に内蔵されるＬＶＲＥＧ２３Ｒによって供給されるため、別の低電圧源が不要となり、小型化可能である。
【０１０５】
第９の実施の形態の変形例１によれば、小型化、低コスト化、高効率化を実現可能なＬＥＤ照明用調色制御回路を提供することができる。
【０１０６】
実施の形態によれば、小型化、低コスト化、高効率化を実現可能なＬＥＤ照明用調色制御回路を提供することができる。
【０１０７】
[その他の実施の形態]
上記のように、実施の形態に係るＬＥＤ照明用調色制御回路について記載したが、この開示の一部をなす論述および図面は例示的なものであり、この発明を限定するものであると理解すべきではない。この開示から当業者には様々な代替実施の形態、実施例および運用技術が明らかとなろう。
【０１０８】
このように、ここでは記載していない様々な実施の形態などを含む。
【産業上の利用可能性】
【０１０９】
本実施形態のＬＥＤ照明用調色制御回路は、ＬＥＤ照明機器、コードレス機器のバッテリ充電回路（時間シフト充電）など幅広い応用分野に適用可能である。
【符号の説明】
【０１１０】
１、１Ａ…ＬＥＤ照明用調色制御回路
１０…ＡＣ電源
１２…入力フィルタ（ＦＬＴ）
１４…ダイオードブリッジ
１５…ＤＣ／ＤＣコンバータ
１６、１６Ａ、１７…力率改善（ＰＦＣ）回路
１８1Ａ、１８2Ａ、１８3Ａ、…、１８nＡ…電流制御回路
２０1、２０2、・２０3、…、２０n、２０1Ａ・２０2Ａ・２０3Ａ・…・２０nＡ…ＬＥＤ照明用ドライバ
２２1Ａ、２２2Ａ、２２3Ａ、…、２２nＡ、２２Ｐ、２４Ａ、２８…ＬＶ回路用内蔵電源（低電圧源）
２３、２３Ａ…ＬＤＯ
２３Ｒ…定電圧レギュレータ（ＬＶＲＥＧ）
２５…ＬＤＯ用レギュレータ
２６、２６Ａ…調光・調色オンオフ制御回路
２７、２７Ａ…マイコン
３０…出力電流値調整制御回路
３２…定電流制御回路
９０、９２、１００、１０２、１０４、１０６、１０８、１１０、１１２、１１４…集積回路（ＩＣ）
ＣＳ１、ＣＳ２、ＣＳ３、…、ＣＳｎ…制御信号
ＬＴ…低電圧出力端子
【図１】
2016046045.tif 000003
【図２】
2016046045.tif 000004
【図３】
2016046045.tif 000005
【図４】
2016046045.tif 000006
【図５】
2016046045.tif 000007
【図６】
2016046045.tif 000008
【図７】
2016046045.tif 000009
【図８】
2016046045.tif 000010
【図９】
2016046045.tif 000011
【図１０】
2016046045.tif 000012
【図１１】
2016046045.tif 000013
【図１２】
2016046045.tif 000014
【図１３】
2016046045.tif 000015
【図１４】
2016046045.tif 000016
【図１５】
2016046045.tif 000017
【図１６】
2016046045.tif 000018
【図１７】
2016046045.tif 000019
【図１８】
2016046045.tif 000020
【図１９】
2016046045.tif 000021